(57)【特許請求の範囲】
【請求項１】
モバイルルータに送られるトラフィック総量に応じて、トラフィック制御ウィジェットを生成すると共に、前記モバイルルータの制御インタフェース上に前記トラフィック制御ウィジェットを表示し、前記トラフィック制御ウィジェットは、前記トラフィック総量を最大トラフィックとして定義し、前記モバイルルータで現在使用可能なトラフィック量を調整することによって、前記モバイルルータを制限するステップ、
前記トラフィック制御ウィジェット上のトラフィック操作を受信するステップ、
前記トラフィック操作に応じて前記モバイルルータのトラフィックを制限するステップ、
を含み、
前記トラフィック制御ウィジェットは、トラフィックバーと、前記トラフィックバー上をスライド可能なトラフィックロックと、を備え、
前記トラフィックバーの長さは、前記トラフィック総量に応じて決定され、
前記トラフィックロックは、前記トラフィックバーによって示されるトラフィックを、ロックされたトラフィックと使用可能なトラフィックとに分けるように構成され、
前記トラフィックバーは、使用済みトラフィックと未使用トラフィックとで構成され、前記未使用トラフィックは、前記使用可能なトラフィックと前記ロックされたトラフィックとで構成され、前記トラフィック総量は、前記未使用トラフィックと前記使用済みトラフィックとで構成される、
モバイルルータのトラフィック制御方法。
【請求項２】
前記トラフィック操作に応じて前記モバイルルータのトラフィックを制限するステップは、
前記トラフィックバー上で前記トラフィックロックのスライドを停止した後に前記トラフィックロックの位置に応じて前記ロックされたトラフィックの量を決定するステップ、
前記ロックされたトラフィックのみが残った場合にデータネットワークの使用を停止するステップ、
を含む、請求項１に記載のトラフィック制御方法。
【請求項３】
更に、
前記ロックされたトラフィックのみが残った場合に前記トラフィックロックを解除するかどうかのインディケーションを表示するステップ、
前記トラフィックロックを解除する指示が検知された場合に前記ロックされたトラフィックの前記トラフィックロックを解除するステップ、
を含む、請求項２に記載のトラフィック制御方法。
【請求項４】
前記トラフィックロックが前記トラフィックバー上をスライドしているとき、前記トラフィックロックの位置に応じて、前記使用可能なトラフィックと前記ロックされたトラフィックがリアルタイムに表示され、
使用済みトラフィックと未使用トラフィックが異なるモードで前記トラフィックバー上に表示される、
請求項１〜３のいずれか一項に記載のトラフィック制御方法。
【請求項５】
モバイルルータに送られるトラフィック総量に応じて、トラフィック制御ウィジェットを生成すると共に、前記モバイルルータの制御インタフェース上に前記トラフィック制御ウィジェットを表示し、前記トラフィック制御ウィジェットは、前記トラフィック総量を最大トラフィックとして定義し、前記モバイルルータで現在使用可能なトラフィック量を調整することによって、前記モバイルルータを制限するように構成されたウィジェット表示モジュール、
前記トラフィック制御ウィジェット上のトラフィック操作を受信するように構成された操作受信モジュール、
前記トラフィック操作に応じて前記モバイルルータのトラフィックを制限するように構成されたトラフィック制限モジュール、
を備え、
前記トラフィック制御ウィジェットは、トラフィックバーと、前記トラフィックバー上をスライド可能なトラフィックロックと、を備え、
前記トラフィックバーの長さは、前記トラフィック総量に応じて決定され、
前記トラフィックロックは、前記トラフィックバーによって示されるトラフィックを、ロックされたトラフィックと使用可能なトラフィックとに分けるように構成され、
前記トラフィックバーは、使用済みトラフィックと未使用トラフィックとで構成され、前記未使用トラフィックは、前記使用可能なトラフィックと前記ロックされたトラフィックとで構成され、前記トラフィック総量は、前記未使用トラフィックと前記使用済みトラフィックとで構成される、
モバイルルータのトラフィック制御装置。
【請求項６】
前記トラフィック制限モジュールは、
前記トラフィック上で前記トラフィックロックを停止した後に前記トラフィックロックの位置に応じて前記ロックされたトラフィックの量を決定するように構成されたロックトラフィック決定サブモジュール、
前記ロックされたトラフィックのみが残った場合にデータネットワークの使用を停止するように構成されたネットワーク制御サブモジュール、
を備える、請求項５に記載のトラフィック制御装置。
【請求項７】
更に、
前記ロックされたトラフィックのみが残った場合に前記トラフィックロックを解除するかどうかを示すインディケーションを表示し、前記トラフィックロックを解除する指示を検知した場合に前記ロックされたトラフィックの前記トラフィックロックを解除するように構成された解除モジュール、
を備える、請求項６に記載のトラフィック制御装置。
【請求項８】
コンピュータに請求項１〜４のいずれか一項に記載のトラフィック制御方法を実行させるためのプログラム。
【請求項９】
コンピュータに請求項８に記載のプログラムを記録したコンピュータ読み取り可能な記録媒体。
【発明の詳細な説明】
【技術分野】
【０００１】
本願は、２０１４年８月２２日に出願された中国特許出願第２０１４１０４１８８０６．２号に基づいて優先権を主張するものであり、その全体の内容が参照により本明細書に援用されている。
【背景技術】
【０００２】
本開示は、モバイル通信の技術分野に関するものであり、より具体的には、モバイルルータのトラフィック制御方法及びモバイルルータのトラフィック制御装置に関するものである。
【０００３】
通信技術の急速な発展によって、より多くのユーザが、一緒にインターネットサーフィンをするため、モバイルルータを使用することを選択している。一方では、携帯電話のように、モバイルルータ（例えば、３Ｇ／４Ｇルータ等）は、オペレータのモバイルデータネットワークに接続することができる。他方では、モバイルルータは、モバイルデータネットワークをローカルエリアネットワークの無線信号（例えば、ＷｉＦｉ信号等）に変換することによって、ローカルエリアネットワークの３Ｇ／４Ｇネットワークを直接使用することができないユーザがネットワークを使用することができるようにしている。ユーザは、モバイルルータに接続した後、モバイルデータネットワークに参加し、これにより、モバイルデータネットワークをサーフィンする利便性を共に共有することができる。
【０００４】
現在、モバイルデータネットワークはトラフィックに応じて課金されるため、モバイルルータの管理者によるモバイルルータのトラフィック制御が非常に重要になっている。例えば、ある場合において、管理者は、モバイルルータを使用して一人でインターネットにアクセスするときもあるし、他のユーザがモバイルルータを使用して一緒にインターネットサーフィンをするときもある。しかしながら、管理者は、他のユーザが自身のモバイルルルータを共有しているとき、他のユーザによって非常に多くのトラフィックが使用されることを望んでいない。したがって、管理者は、モバイルルータのトラフィックを管理したいときがある。しかしながら、モバイルルータのトラフィックを適時制御したいという管理者の要求を満たすことに関連する技術において簡単かつ迅速にモバイルルータのトラフィックを制御する方法はない。
【発明の概要】
【０００５】
関連技術における問題を解決するために、本開示は、簡単かつ迅速にモバイルルータのトラフィックをタイムリーに制御することができるモバイルルータのトラフィック制御方法及びモバイルルータのトラフィック制御装置を提供する。
【０００６】
本開示の実施形態の第１態様によれば、
モバイルルータに送られるトラフィック総量に応じて、トラフィック制御ウィジェットを生成すると共に、前記モバイルルータの制御インタフェース上に前記トラフィック制御ウィジェットを表示するステップ、
前記トラフィック制御ウィジェット上のトラフィック操作を受信するステップ、
前記トラフィック操作に応じて前記モバイルルータのトラフィックを制限するステップ、
を含む、モバイルルータのトラフィック制御方法が提供される。
【０００７】
あるいは、前記トラフィック制御ウィジェットは、トラフィックバーと、前記トラフィックバー上をスライド可能なトラフィックロックと、を備え、
前記トラフィックバーの長さは、前記トラフィック総量に応じて決定され、
前記トラフィックロックは、前記トラフィックバーによって示されたトラフィックを、ロックされたトラフィックと使用可能なトラフィックとに分けるように構成されている。
【０００８】
あるいは、前記トラフィック操作に応じて前記モバイルルータのトラフィックを制限するステップは、
前記トラフィックバー上で前記トラフィックロックのスライドを停止した後に前記トラフィックロックの位置に応じて前記ロックされたトラフィックの量を決定するステップ、
前記ロックされたトラフィックのみが残った場合にデータネットワークの使用を停止するステップ、
を含む。
【０００９】
あるいは、前記方法は、更に
前記ロックされたトラフィックのみが残った場合に前記トラフィックロックを解除するかどうかを示すインディケーションを表示するステップ、
前記トラフィックロックを解除する指示を検知した場合に前記ロックされたトラフィックの前記トラフィックロックを解除するステップ、
を含む。
【００１０】
あるいは、前記トラフィックロックが前記トラフィックバー上をスライドしているとき、前記トラフィックロックの位置の変化に応じて前記使用可能なトラフィックと前記ロックされたトラフィックがリアルタイムで表示され、使用済みトラフィックと未使用トラフィックが異なるモードで前記トラフィックバー上に表示される。
【００１１】
本開示の実施形態の第２態様によれば、
モバイルルータに送られるトラフィック総量に応じて、トラフィック制御ウィジェットを生成すると共に、前記モバイルルータの制御インタフェース上に前記トラフィック制御ウィジェットを表示するように構成されたウィジェット表示モジュール、
前記トラフィック制御ウィジェット上のトラフィック操作を受信するように構成された操作受信モジュール、
前記トラフィック操作に応じて前記モバイルルータを制限するように構成されたトラフィック制限モジュール、
を備える、モバイルルータのトラフィック制御装置が提供される。
【００１２】
あるいは、前記トラフィック制御ウィジェットは、トラフィックバーと、前記トラフィックバー上をスライド可能なトラフィックロックと、を備え、
前記トラフィックバーの長さは、トラフィック総量に応じて決定され、
前記トラフィックロックは、前記トラフィックバーによって示されたトラフィックを、前記ロックされたトラフィックと前記使用可能なトラフィックとに分けるように構成される。
【００１３】
あるいは、前記トラフィック制限モジュールは、
前記トラフィックバー上で前記トラフィックロックのスライドを停止した後に前記トラフィックロックの位置に応じて前記ロックされたトラフィックの量を決定するように構成されたロックトラフィック決定サブモジュール、
前記ロックされたトラフィックのみが残った場合にデータネットワークの使用を停止するように構成されたネットワーク制御サブモジュール、
を含む。
【００１４】
あるいは、前記トラフィック制御装置は、更に
前記ロックされたトラフィックのみが残った場合に前記トラフィックロックを解除するかどうかを示すインディケーションを表示し、前記トラフィックロックを解除する指示を検知した場合に前記ロックされたトラフィックの前記トラフィックロックを解除するように構成された解除モジュール、
を含む。
【００１５】
本開示の実施形態の第３態様によれば、
プロセッサ、
前記プロセッサによって実行可能な命令を記憶するように構成されたメモリ、
を備え、
前記プロセッサは、
モバイルルータに送られるトラフィック総量に応じて、トラフィック制御ウィジェットを生成すると共に、前記モバイルルータの制御インタフェース上に前記トラフィック制御ウィジェットを表示し、
前記トラフィック制御ウィジェット上のトラフィック操作を受信し、
前記トラフィック操作に応じて前記モバイルルータのトラフィックを制御する、
ように構成された、
モバイルルータのトラフィック制御装置が提供される。
【００１６】
本開示の実施形態において、トラフィック制御ウィジェットは、ユーザがモバイルルータの制御インタフェース上で操作を行うために、モバイルルータに送られるトラフィック総量に応じて生成されてもよいし、モバイルルータのトラフィックは、トラフィック総量の範囲内で制限されてもよい。例えば、トラフィック制御ウィジェットは、トラフィックロックを有するトラフィックバーであってもよい。トラフィックバー上でトラフィックロックをスライドすることによって、ロックされるトラフィック量が調整され、それにより、モバイルルータのトラフィックのタイムリーな制御を簡単かつ迅速に行うことができる。
【００１７】
前述の概要及び以下の詳細な説明は、例示及び説明するためだけのものであって、ここで記載されている本開示の内容に限定されることを示すものではないことを理解すべきである。
【００１８】
添付図面は、本明細書に組み込まれ、本明細書の一部を構成し、本開示とその説明に一致する実施形態を例示しており、本開示の原理を説明するのに役立つものである。
【図面の簡単な説明】
【００１９】
【図１】図１は、本開示の例示的な実施形態に係るモバイルルータのトラフィック制御方法を示すフローチャートである。
【図２】図２は、本開示の例示的な実施形態に係るトラフィック制御ウィジェットを示す概略図である。
【図３】図３は、本開示の例示的な実施形態に係るモバイルルータのトラフィック制御方法を示すフローチャートである。
【図４】図４は、本開示の例示的な実施形態に係るモバイルルータのトラフィック制御方法を示すフローチャートである。
【図５】図５は、本開示の例示的な実施形態に係るモバイルルータのトラフィック制御方法を示すフローチャートである。
【図６】図６は、本開示の例示的な実施形態に係るトラフィックロックの位置を示す概略図である。
【図７】図７は、本開示の例示的な実施形態に係るトラフィックロックの動きを示す概略図である。
【図８】図８は、本開示の実施形態において、トラフィックロックを長時間押していることを示す概略図である。
【図９】図９は、本開示の例示的な実施形態において、トラフィックロックが作動したことを示す概略図である。
【図１０】図１０は、本開示の例示的な実施形態において、トラフィックロックを解除することを示すインディケーションを示す概略図である。
【図１１】図１１は、本開示の例示的な実施形態に係るモバイルルータのトラフィック制御装置を示すブロック図である。
【図１２】図１２は、本開示の例示的な実施形態に係るモバイルルータのトラフィック制御装置を示すブロック図である。
【図１３】図１３は、本開示の例示的な実施形態に係るモバイルルータのトラフィック制御装置を示すブロック図である。
【図１４】図１４は、本開示の例示的な実施形態に係るモバイルルータのトラフィックを制御する装置を示すブロック図である。
【発明を実施するための形態】
【００２０】
例示の実施形態、添付の図面に示されている例を参照して詳細に説明する。以下の説明は、添付の図面を参照する。添付図面において、特に説明がない限り、異なる図面における同一の符号は、同一の要素又は類似の要素を示している。例示的な実施形態として以下で説明されている実施例は、本開示と一致する全ての実施例を示したものではない。それよりも、それらは、添付の特許請求の範囲に記載される本開示に関連するいくつかの態様に一致する装置及び方法の単なる例示である。
【００２１】
図１は、本開示の例示的な実施形態に係るモバイルルータのトラフィック制御方法を示すフローチャートである。
【００２２】
ステップＳ１０１において、モバイルルータに送られるトラフィック総量に応じて、トラフィック制御ウィジェットが生成され、トラフィック制御ウィジェットがモバイルルータの制御インタフェース上に表示される。
【００２３】
例えば、携帯電話などのモバイル端末と同様に、通常、データトラフィックのパッケージがモバイルルータに、例えば、８００Ｍ／月で送られる。即ち、当月においてモバイルルータで使用できるトラフィック総量は、８００Ｍである。
【００２４】
通常、モバイルルータは、単純なオペレーティングシステムを有する。モバイルルータは、端末装置（例えば、携帯電話、タブレット型コンピュータ又はＰＣ（パーソナルコンピュータ）など）を用いてログインされてもよい。モバイルルータは、モバイルルータのオペレーティングシステムの操作インタフェースを介して設定されてもよい。また、モバイルルータを操作するためのＡＰＰ（アプリケーション）が、端末デバイス（例えば、携帯電話など）にインストールされていてもよい。ＡＰＰの操作インタフェースは、モバイルルータの操作インタフェースである。モバイルルータを設定する必要がある場合、モバイルルータのＡＰＰを直接開いて設定してもよい。
【００２５】
モバイルルータに送られるトラフィック総量を取得した後、トラフィック総量に応じてトラフィック制御ウィジェットが生成されてもよい。トラフィック制御ウィジェットは、トラフィック総量を最大トラフィックとして定義すること、及びモバイルルータで現在使用可能なトラフィック量を調整することによって、モバイルルータを制限してもよい。トラフィック制御ウィジェットは、本実施形態に限定されない。例えば、トラフィック制御ウィジェットは、帯状のトラフィックバーと、トラフィックバー上のスライダー形状のトラフィックロックとで構成されていてもよい。ロックされるトラフィック値は、トラフィックロックをスライドすることによって調整されてもよい。別の例では、トラフィック制御ウィジェットは、ダイヤルホイールタイプであってもよい。ロックされるトラフィック値は、ダイヤルホイールを（日付を調整するためにダイヤルホイールをダイヤルするのと同じように）ダイヤルすることによって調整されてもよい。別の例では、トラフィックバーは、ニードル付きのダイヤルタイプであってもよい。トラフィック総量に対してロックされるトラフィックの占める割合は、ダイヤル上のニードルをダイヤルすることによって調整されてもよい。別の例では、トラフィック制御ウィジェットは、簡単な編集ボックスであってもよい。ロックされるトラフィック値は、編集ボックスなどに入力される。
【００２６】
ステップＳ１０２において、トラフィック制御ウィジェット上のトラフィック操作が受信される。
【００２７】
トラフィック操作は、トラフィックを制御するための操作である。トラフィック制御ウィジェットが制御インタフェース上に表示された後、ユーザは、タッチスクリーン又はキーボードを使用して、トラフィック制御ウィジェット上でトラフィック操作を行ってもよい。
【００２８】
ステップＳ１０３において、モバイルルータのトラフィックがトラフィック操作に応じて制限される。
【００２９】
例えば、トラフィック総量が８００Ｍ、現在残っているトラフィックが７００Ｍであって、ユーザがトラフィック制御ウィジェットを操作して３００Ｍのトラフィックをロックしていると仮定する。将来、モバイルルータが使用されるとき、３００Ｍのトラフィックのみが残った場合、データネットワークの使用が停止される、即ちトラフィックが３００Ｍでロックされる。
【００３０】
本実施形態では、トラフィック制御ウィジェットは、ユーザがモバイルルータの制御インタフェース上で操作を行うため、モバイルルータに送られるトラフィック総量に応じて生成されてもよい。モバイルルータのトラフィックは、トラフィック総量の範囲内で制限されてもよい。例えば、トラフィック制御ウィジェットは、トラフィックロックを有するトラフィックバーであってもよい。トラフィックバー上でトラフィックロックをスライドすることによって、ロックされるトラフィック量が調整され、それにより、モバイルルータのトラフィックのタイムリーな制御を簡単かつ迅速に行うことができる。
【００３１】
図２は、本開示の例示的な実施形態に係るトラフィック制御ウィジェットを示す概略図である。
【００３２】
本実施形態では、トラフィック制御ウィジェットは、トラフィックバーと、トラフィックバー上をスライド可能なトラフィックロックと、を備えてもよい。トラフィックバーの長さは、トラフィック総量に応じて決定される。トラフィックロックは、トラフィックバーによって示されたトラフィックを、ロックされたトラフィックと使用可能なトラフィックとに分けるように構成される。トラフィックバーによって示されたトラフィックは、まだ使用されていないトラフィック（未使用トラフィック）である。更に、未使用トラフィックは、ロックされたトラフィックと使用可能なトラフィックとに分けられてもよい。ロックされたトラフィックと使用可能なトラフィックは、トラフィックロックによって分けられている。
【００３３】
図２を参照すると、図２において、符号２０１は、トラフィックバー、即ち、トラフィック総量を示す。符号２０６は、トラフィックバーに沿って左右にスライド可能なトラフィックロックを示す。符号２０５は、トラフィックロックによって分けられたロックされたトラフィックを示す。符号２０２は、既に使用されたトラフィック（使用済みトラフィック）を示す。符号２０３は、未使用トラフィックを示す。符号２０４は、未使用トラフィックにおいて使用可能なトラフィックを示す。使用可能なトラフィック２０４とロックされたトラフィック２０５は、未使用トラフィック２０３を構成する。未使用トラフィック２０３と使用済みトラフィック２０２は、トラフィック総量２０１を構成する。
【００３４】
さらに、図２において、トラフィックロックは、ロック形状アイコンとして設計されている。他の場合において、トラフィックロックは、長方形スライダーなどの他のアイコンであってもよい。
【００３５】
本開示の本実施形態又は他の実施形態において、図３を参照すると、モバイルルータのトラフィックは、以下のステップを含むトラフィック操作に応じて制限されてもよい。
【００３６】
ステップＳ１０３１において、トラフィックバー上でトラフィックロックのスライドを停止した後、ロックされるトラフィック量がトラフィックロックの位置に応じて決定される。
【００３７】
ステップＳ１０３２において、ロックされたトラフィックのみが残った場合、データネットワークの使用が停止される。
【００３８】
図２を例にとってみると、モバイルルータを使用すると、使用済みトラフィック２０２の長さは、徐々に長くなる。これにより、未使用トラフィック２０３の長さは、徐々に短くなる。ユーザは、トラフィック上のトラフィックロックをランダムにスライドすることによって、ロックされるトラフィック値２０５を設定してもよい。当然のことながら、ユーザが使用済みトラフィック２０２の範囲内にトラフィックロックをスライドさせた場合、ロックされるトラフィック値２０５の最大値が未使用トラフィック２０３になることは容易に相当される。
【００３９】
また、図４を参照すると、本開示に係る本実施形態と他の実施形態において、前記方法は、更に以下のステップを含んでもよい。
【００４０】
ステップＳ４０１において、ロックされたトラフィックのみが残った場合、トラフィックロックを解除するかどうかを示すインディケーションが表示される。
【００４１】
ステップＳ４０２において、トラフィックロックを解除する指示が検知された場合、ロックされたトラフィックのトラフィックロックが解除される。
【００４２】
このように、ユーザは、彼／彼女の心境が変化してトラフィックを制限したくないと思う場合、ロックされたトラフィックのトラフィックロックを解除してもよい。
【００４３】
また、本開示に係る本実施形態及び他の実施形態において、トラフィックロックがトラフィックバー上をスライドしているとき、使用可能なトラフィックとロックされるトラフィックが、トラフィックロックの位置の変化に応じてリアルタイムに表示される。
【００４４】
ユーザにとってトラフィックロックの詳細を直感的に把握しやすいように、使用可能なトラフィックとロックされたトラフィックが、トラフィックロックの位置の変化に応じてリアルタイムに表示されてもよい。ロックされたトラフィックの具体的な値は、トラフィックバーの長さに対してロックされたトラフィックの長さの占める割合をトラフィック総量で乗算することによって得ることができる。
【００４５】
また、本開示の本実施形態及び他の実施形態において、使用済みトラフィックと未使用トラフィックは、異なるモードでトラフィックバー上に表示される。
【００４６】
図２を例にとってみると、図２において、使用済みトラフィックと未使用トラフィックとを区別しやすくするため、使用済みトラフィック２０２は、白色を用いて表示され、未使用トラフィック２０３は、黒色を用いて表示される。
【００４７】
本実施形態において、トラフィック制御ウィジェットは、ユーザがモバイルルータの制御インタフェース上で操作を行うために、モバイルルータに送られるトラフィック総量に応じて生成されてもよい。モバイルルータのトラフィックは、トラフィック総量の範囲内で制限されてもよい。例えば、トラフィック制御ウィジェットは、トラフィックロックを有するトラフィックバーであってもよい。トラフィックバー上でトラフィックロックをスライドさせることによって、ロックされるトラフィック量が調整され、それにより、モバイルルータのタイムリーな制御を簡単かつ迅速に行うことができる。
【００４８】
以下では、図５を参照し、ある場合を参考にして、本開示の解決手段を更に詳細に説明する。
【００４９】
ステップＳ５０１において、モバイルルータのトラフィックのパッケージの情報が取得される。
【００５０】
モバイルルータによって出されたトラフィックのパッケージの情報は、ユーザによって手動で入力されてもよいし、又は、情報は、モバイルルータのシステム又は携帯電話上のモバイルルータを操作するためのＡＰＰを操作することによってオペレータから取得してもよい。
【００５１】
ステップＳ５０２において、トラフィックバーは、トラフィックのパッケージの情報におけるトラフィック総量に応じて生成される。
【００５２】
更に、トラフィック総量値と現在残っているトラフィック値は、インタフェース上に表示されてもよい。
【００５３】
ステップＳ５０３において、トラフィックロックが初期化される。
【００５４】
トラフィックロックが初期化されると、トラフィックがユーザによって制限されなくなるため、トラフィックロックは、トラフィックバーの最右端のゼロ位置に配置されてもよい。
【００５５】
ステップＳ５０４において、トラフィックロックの第１スライド操作がユーザから受信され、トラフィックロックのスライドを停止した後、トラフィックロックの位置に応じてロックされるトラフィックが設定される。
【００５６】
例えば、ある日において、８００Ｍのトラフィック中、６５４．６Ｍのトラフィックが残ったとする。トラフィックは、短期間で使い尽くすことはいけないとすると、トラフィックを慎重に使用する必要がある。したがって、トラフィックロックをスライドし、現在残っているトラフィックを１００Ｍでロックする。
【００５７】
図６を参照すると、図６において、ユーザは、「残り（ロック）１００Ｍ」の位置にトラフィックロックを設定する、即ち、トラフィックが１００Ｍのみ残った場合にトラフィックがロックされる。したがって、現時点では、６５４．６Ｍのトラフィックのうち５５４．６Ｍのトラフィックが使用できる。
【００５８】
ステップＳ５０５において、トラフィックロックの第２スライド操作がユーザから受信され、トラフィックロックのスライドを停止した後、トラフィックロックの新しい位置に応じてロックされるトラフィックが調整される。
【００５９】
例えば、別の日において、ユーザがモバイルルータを友人と共有しているとする。ユーザは、自身のトラフィックをキープするため、トラフィックロックを左へスライドさせてもよい、即ち、ロックされるトラフィックの範囲を広げてもよい。
【００６０】
図７を参照すると、図７において、トラフィックロックが「残り（ロック）１００Ｍ」の位置から「残り（ロック）３００Ｍ」の位置にスライドされる。
【００６１】
ステップＳ５０６において、トラフィックロックがユーザによって長時間押された場合、トラフィックロックを削除したいかどうかをユーザに質問する。
【００６２】
トラフィックがロックされる前に、ユーザが前回設定したトラフィックロックを削除したい場合、ユーザはトラフィックロックを長時間押すことができる（図８参照）。それから、ダイアログがインタフェース上に表示され、トラフィックロックを削除したいかどうかをユーザに質問する。
【００６３】
ステップＳ５０７において、ロックされたトラフィックに達した場合、モバイルルータのデータネットワークの使用が停止され、トラフィックロックを解除したいかどうかをユーザに質問する。
【００６４】
トラフィックが使用されて、ある日、１００Ｍのトラフィックのみが残ったとする。即ち、図９に示すように、ロックされたトラフィックに達し、トラフィックロックがアクティブになる。このとき、モバイルルータのデータネットワークの使用が停止される。即ち、トラフィックの使用が停止される。同時に、図１０に示されるダイアログが表示され、トラフィックロックを解除したいかどうかをユーザに質問してもよい。ユーザが「解除」の押しボタンを選択した場合、トラフィックロックを解除する指示がトリガーされ、トラフィックロックが解除される。
【００６５】
本実施形態において、トラフィック制御ウィジェットは、ユーザがモバイルルータの制御インタフェースの操作を行うために、モバイルルータに送られるトラフィック総量に応じて生成されてもよい。モバイルルータのトラフィックは、トラフィック総量の範囲内で制限されてもよい。例えば、トラフィック制御ウィジェットは、トラフィックロックを有するトラフィックバーであってもよい。トラフィックロック上でトラフィックロックをスライドすることによって、ロックされるトラフィック量が調整され、それにより、モバイルルータのトラフィックのタイムリーな制御が簡単かつ迅速に行うことができる。
【００６６】
図１１は、本開示の例示的な実施形態に係るモバイルルータのトラフィック制御装置を示すブロック図である。トラフィック制御装置は、
モバイルルータに送られるトラフィック総量に応じて、トラフィック制御ウィジェットを生成すると共に、モバイルルータの制御インタフェース上にトラフィック制御ウィジェットを表示するように構成されたウィジェット表示モジュール１１０１、
トラフィック制御ウィジェット上のトラフィック操作を受信するように構成された操作受信モジュール１１０２、
トラフィック操作に応じてモバイルルータのトラフィックを制限するように構成されたトラフィック制限モジュール１１０３、
を備える。
【００６７】
本開示の本実施形態又は他の実施形態において、トラフィック制御ウィジェットは、トラフィックバーと、トラフィックバー上をスライド可能なトラフィックロックとを備える。トラフィックバーの長さは、トラフィック総量に応じて決定される。トラフィックロックは、トラフィックバーによって示されたトラフィックを、ロックされたトラフィックと使用可能なトラフィックとに分けるように構成される。
【００６８】
図１２を参照すると、本開示の本実施形態又は他の実施形態において、トラフィック制限モジュール１１０３は、
トラフィックバー上でトラフィックロックのスライドを停止した後、トラフィックロックの位置に応じてロックされたトラフィック量を決定するように構成されたロックトラフィック決定サブモジュール１１０３ａ、
ロックされたトラフィックのみが残った場合にデータネットワークの使用を停止するように構成されたネットワーク制御サブモジュール１１０３ｂ、
を備えてもよい。
【００６９】
さらに、図１３を参照すると、本開示の本実施形態又は他の実施形態において、トラフィック制御装置は、更に
ロックされたトラフィックのみが残った場合にトラフィックロックを解除するかどうかを示すインディケーションを表示し、トラフィックロックを解除する指示を検知した場合にトラフィックロックを解除するように構成された解除モジュール１１０４、
を備えてもよい。
【００７０】
本開示の実施形態において、トラフィック制御ウィジェットは、ユーザがモバイルルータの制御インタフェース上で操作を行うために、モバイルルータに送られるトラフィック総量に応じて生成されてもよい。モバイルルータのトラフィックは、トラフィック総量の範囲内で制限されてもよい。例えば、トラフィック制御ウィジェットは、トラフィックロックを有するトラフィックバーであってもよい。ロックされるトラフィック量が、トラフィックバー上でトラフィックロックをスライドすることによって調整され、それにより、モバイルルータのトラフィックのタイムリーな制御を簡単かつ迅速に行うことができる。
【００７１】
上記実施形態における装置に関して、個々のモジュールの中で実行される動作の具体的な態様については、方法に関する実施形態において詳細に説明しているので、ここでは再度詳細に説明しない。
【００７２】
また、本開示の実施形態において、
プロセッサ、
プロセッサによって実行可能な命令を記憶するように構成されたメモリ、
を備え、
プロセッサは、
モバイルルータに送られるトラフィック総量に応じて、トラフィック制御ウィジェットを生成すると共に、モバイルルータの制御インタフェース上にトラフィック制御ウィジェットを表示し、
トラフィック制御ウィジェット上のトラフィック操作を受信し、
トラフィック操作に応じてモバイルルータのトラフィックを制限する、
ように構成された、
モバイルルータのトラフィック制御装置が提供される。
【００７３】
また、本開示の実施形態において、端末装置のプロセッサによって実行されたとき、端末デバイスにモバイルルータのトラフィック制御方法を実行させる命令を記憶したコンピュータ読み取り可能な非一時的な記録媒体が提供される。トラフィック制御方法は、
モバイルルータに送られるトラフィック総量に応じて、トラフィック制御ウィジェットを生成すると共に、モバイルルータの制御インタフェース上にトラフィック制御ウィジェットを表示するステップ、
トラフィック制御ウィジェット上のトラフィック操作を受信するステップ、
トラフィック操作に応じてモバイルルータのトラフィックを制限するステップ、
を含む。
【００７４】
図１４は、本開示の例示的な実施形態に係るモバイルルータのトラフィックを制御する装置のブロック図である。例えば、装置１８００は、携帯電話、コンピュータ、デジタル放送端末、メッセージ送受信器、ゲームコントローラ、タブレットデバイス、医療機器、フィットネス機器、ＰＤＡ等であってもよい。
【００７５】
図１４を参照すると、装置１８００は、処理コンポーネント１８０２、メモリ１８０４、電源コンポーネント１８０６、マルチメディアコンポーネント１８０８、オーディオコンポーネント１８１０、入力／出力（Ｉ／Ｏ）インタフェース１８１２、センサコンポーネント１８１４、及び通信コンポーネント１８１６の１つ又は複数の構成要素を備えてもよい。
【００７６】
処理コンポーネント１８０２は、一般的に、表示、電話、データ通信、カメラ動作、及びレコーディング動作に関連する動作などの装置１８００の全体の動作を制御する。処理コンポーネント１８０２は、上述した方法の全てのステップ又は一部のステップを実行するために、命令を実行するための１つ又は複数のプロセッサ１８２０を備えてもよい。また、処理コンポーネント１８０２は、１つ又は複数のモジュールを備え、処理コンポーネント１８０２と他のコンポーネントとの間で相互に通信できるようにしてもよい、例えば、処理コンポーネント１８０２は、マルチメディアモジュールを備え、マルチメディアコンポーネント１８０８と処理コンポーネント１８０２との間で相互に通信できるようにしてもよい。
【００７７】
メモリ１８０４は、装置１８００の動作をサポートするために様々な種類のデータを記憶するように構成される。そのようなデータの例としては、装置１８００上で動作するいくつかのアプリケーション又はいくつかの方法のための命令、連絡先データ、電話帳データ、メッセージ、写真、ビデオ等が含まれる。メモリ１８０４は、任意のタイプの揮発性又は不揮発性メモリ装置、又はその組み合わせを用いて構成されてもよく、例えば、スタティックランダムアクセスメモリ（ＳＰＲＡＭ）、電気的消去可能プログラマブルリードオンリーメモリ（ＥＥＰＲＯＭ）、消去可能プログラマブルリードオンリーメモリ（ＥＰＲＯＭ）、プログラマブルリードオンリーメモリ（ＰＲＯＭ）、リードオンリーメモリ（ＲＯＭ）、磁気メモリ、フラッシュメモリ、磁気ディスク又は光学ディスクなどを用いて構成されてもよい。
【００７８】
電源コンポーネント１８０６は、装置１８００の様々なコンポーネントに電力を供給する。電源コンポーネント１８０６は、電源管理システム、１つ又は複数の電源、及び装置１８００における電力の生成、管理、及び分配に関連する他のコンポーネントを備えてもよい。
【００７９】
マルチメディアコンポーネント１８０８は、装置１８００とユーザとの間に出力インタフェースを提供するスクリーンを備える。ある実施形態では、スクリーンは、液晶ディスプレイ（ＬＣＤ）及びタッチパネル（ＴＰ）を備えてもよい。スクリーンがタッチパネルを備える場合、スクリーンは、ユーザから入力信号を受信するタッチスクリーンとして実現することができる。タッチパネルは、１つ又は複数のタッチセンサを含み、タッチパネル上でのタッチ、スワイプ、及びジェスチャーを検知する。タッチセンサは、タッチ又はスワイプ動作の境界を検知するだけでなく、タッチ又はスワイプ動作を行っている時間、及びタッチ又はスワイプ動作に関連する圧力を検知してもよい。ある実施形態において、マルチメディアコンポーネント１８０８は、フロントカメラ及び／又はリアカメラを備える。フロントカメラ及び／又はリアカメラは、装置１８００が撮影モード又はビデオモードなどの動作モードになっている間に、外部のマルチメディアデータを受信してもよい。フロントカメラ及びリアカメラのそれぞれは、固定光学レンズシステムであってもよいし、又はフォーカス及び光学ズーム機能を有していてもよい。
【００８０】
オーディオコンポーネント１８１０は、オーディオ信号を出力する及び／又は入力するように構成される。例えば、オーディオコンポーネント１８１０は、装置１８００が通話モード、レコーディングモード、及び音声認識モードなどの動作モードになっているときに外部のオーディオ信号を受信するように構成されたマイクロフォン（「ＭＩＣ」）を備える。更に、受信したオーディオ信号は、メモリ１８０４に記憶されてもよいし、又は通信コンポーネント１８１６を介して送信されてもよい。ある実施形態において、オーディオコンポーネント１８１０は、更に、オーディオ信号を出力するスピーカーを備える。
【００８１】
Ｉ／Ｏインタフェース１８１２は、処理コンポーネント１８０２と周辺インタフェースモジュールとの間を接続するインタフェースを提供する。周辺インタフェースモジュールとしては、キーボード、クリックホイール、ボタンなどがある。ボタンは、限定されるものではないが、ホームボタン、ボリュームボタン、スタートボタン、及びロックボタンを備えてもよい。
【００８２】
センサコンポーネント１８１４は、１つ又は複数のセンサを備え、装置１８００の様々な態様の状態評価を提供する。例えば、センサコンポーネント１８１４は、装置のオン／オフ状態、装置１８００のコンポーネント（例えば、ディスプレイ及びキーパッド）の相対位置、装置１８００又は装置１８００のコンポーネントの位置の変化、装置１８００に接触するユーザの有無、装置１８００の方向又は加速／減速、及び装置１８００の温度の変化を検知してもよい。センサコンポーネント１８１４は、いかなる物理的接触もすることなく近くの物体の存在を検知するように構成された近接センサを備えてもよい。また、センサコンポーネント１８１４は、画像アプリケーションで使用するために、ＣＭＯＳ又はＣＣＤイメージセンサなどの光センサを備えてもよい。ある実施形態において、センサコンポーネント１８１４は、加速度センサ、ジャイロセンサ、磁気センサ、圧力センサ、又は温度センサを備えてもよい。
【００８３】
通信コンポーネント１８１６は、装置１８００と他の装置との間の有線通信又は無線通信を可能にするように構成される。装置１８００は、ＷＩＦＩネットワーク、２Ｇネットワーク、又は３Ｇネットワーク、又はそれらのネットワークの組み合わせなどの標準規格に基づく無線ネットワークにアクセスすることができる。例示的な一実施形態において、通信コンポーネント１８１６は、放送チャンネルを介して外部の放送管理システムから放送信号又は放送関連情報を受信する。別の例示的な一実施形態において、通信コンポーネント１８１６は、更に、近距離無線通信（ＮＦＣ）モジュールを備え、短距離通信を可能にしている。例えば、ＮＦＣモジュールは、無線自動識別（ＲＦＩＤ）技術、赤外線通信協会（ＩｒＤＡ）技術、超広帯域（ＵＷＢ）技術、ブルートゥース（ＢＴ）技術、及び他の技術などの技術に基づいて実現されてもよい。
【００８４】
例示的な実施形態において、本開示の実施形態に係る上述した方法を実施するため、装置１８００は、特定用途向け集積回路（ＡＳＩＣ）、デジタル信号プロセッサ（ＤＳＰ）、デジタル信号処理デバイス（ＤＳＰＤ）、プログラマブル（プログラムで制御可能な）論理デバイス（ＰＬＤ）、フィールドプログラマブルゲートアレイ（ＦＰＧＡ）、コントローラ、マイクロコントローラ、マイクロプロセッサ、又は他の電子部品などで構成されるグループから選択された少なくとも１つの装置を用いて実現されてもよい。
【００８５】
例示の実施形態において、命令を含む非一時的なコンピュータ読み取り可能な記録媒体が提供される。命令を含む非一時的なコンピュータ読み取り可能な記録媒体とは、命令を含むメモリ１８０４などである。命令は、上述した方法を実施するために、装置１８００のプロセッサ１８２０によって実行可能である。例えば、非一時的なコンピュータ読み取り可能な記録媒体は、ＲＯＭ、ランダムアクセスメモリ（ＲＡＭ）、ＣＤ−ＲＯＭ、磁気テープ、フロッピー（登録商標）ディスク、光データ記憶装置などであってもよい。
【００８６】
当業者にとっては、本開示の他の実施形態は、ここで開示された本発明の明細書及び実施態様から明らかである。本願は、本発明の一般的原則に従い、かつ当該技術分野において知られ、又は慣行的に実施されている範囲内での本開示からの逸脱を含む、本開示の変形、使用、又は適用をカバーすることを意図している。明細書及び実施例は、例示的なもののみが考慮されているが、本発明の真の範囲及び精神は、以下の特許請求の範囲によって示されることが意図されている。
【００８７】
本開示は、上述され、かつ添付の図面に示された厳密な構成に限定されるものではなく、本発明の範囲から逸脱することなく様々な修正及び変更が可能であることは明らかである。本開示の範囲は、添付の特許請求の範囲によってのみ限定されることが意図されている。
【図１】
0006276863.tif 000002
【図２】
0006276863.tif 000003
【図３】
0006276863.tif 000004
【図４】
0006276863.tif 000005
【図５】
0006276863.tif 000006
【図６】
0006276863.tif 000007
【図７】
0006276863.tif 000008
【図８】
0006276863.tif 000009
【図９】
0006276863.tif 000010
【図１０】
0006276863.tif 000011
【図１１】
0006276863.tif 000012
【図１２】
0006276863.tif 000013
【図１３】
0006276863.tif 000014
【図１４】
0006276863.tif 000015